(57)【要約】【課題】  駐車場周辺の空気に含まれる窒素酸化物を浄化するにあたって空気輸送手段や吸着装置など高価な設備を必要とせず、また活性アルミナ吸着剤や電力などが不要な設備費とランニングコストを大幅に低減することができる駐車場用窒素酸化物浄化装置を提供する。【解決手段】  大気に含まれる窒素酸化物を浄化可能な木材屑１と、木材屑１を空気と接触可能に担持した木材屑担持部材２と、この木材屑担持部材２を保持する保持部材３とを備え、駐車場７に配置された状態で、木材屑担持部材２に担持された木材屑１により駐車場７の周囲の大気に含まれる窒素酸化物を浄化する。【選択図】      図１
2007050389.tif 000002
【特許請求の範囲】
【請求項１】
大気に含まれる窒素酸化物を浄化可能な木材屑と、
この木材屑を空気と接触可能に担持した木材屑担持部材と、
この木材屑担持部材を保持する保持部材とを備え、
駐車場に配置された状態で、上記木材屑担持部材に担持された木材屑により駐車場の周囲の大気に含まれる窒素酸化物を浄化することを特徴とする駐車場用窒素酸化物浄化装置。
【請求項２】
上記木材屑は、スギ材、竹材または同等の窒素酸化物浄化能力を有する木材の木粉であることを特徴とする請求項１に記載の駐車場用窒素酸化物浄化装置。
【請求項３】
上記木材屑担持部材は、通気性材料からなることを特徴とする請求項１または請求項２のいずれかに記載の駐車場用窒素酸化物浄化装置。
【請求項４】
上記木材屑担持部材は、保持部材に対して交換可能に保持されていることを特徴とする請求項１ないし請求項３のいずれかに記載の駐車場用窒素酸化物浄化装置。
【請求項５】
上記保持部材は、駐車場の自動車が発生させる排気ガスを受けるように、自動車駐車位置にある時の自動車の排気管の近傍となる位置に木材屑担持部材を配置するものであることを特徴とする請求項１ないし請求項４のいずれかに記載の駐車場用窒素酸化物浄化装置。
【請求項６】
上記保持部材は、駐車場の地面に立設された車止め部材であることを特徴とする請求項１ないし請求項５のいずれかに記載の駐車場用窒素酸化物浄化装置。
【請求項７】
上記木材屑担持部材は、保持部材に設けられた収納孔に脱着可能に収納される概ね筒状の容器で構成されていることを特徴とする請求項６に記載の駐車場用窒素酸化物浄化装置。
【請求項８】
上記保持部材を支持するとともに、駐車場に設けられた駐車場施設にこの保持部材を取り付け可能な取り付け部材を備えたことを特徴とする請求項１ないし請求項５のいずれかに記載の駐車場用窒素酸化物浄化装置。
【請求項９】
上記駐車場施設は、屋内駐車場の壁、屋外駐車場の柵、のいずれかであることを特徴とする請求項８に記載の駐車場用窒素酸化物浄化装置。
【請求項１０】
上記木材屑担持部材に対して水を供給する水供給手段が設けられ、
上記木材屑担持部材に担持された木材屑は、この水供給手段から供給される水で濡れた状態で、周囲の大気を浄化可能に構成されていることを特徴とする請求項１ないし請求項９のいずれかに記載の駐車場用窒素酸化物浄化装置。
【請求項１１】
上記水供給手段は、木材屑担持部材に対して雨水を供給するものであることを特徴とする請求項１ないし請求項９のいずれかに記載の駐車場用窒素酸化物浄化装置。
【発明の詳細な説明】
【技術分野】
【０００１】
本発明は、駐車場において自動車から排出される排気ガスに含まれる窒素酸化物を浄化するために採用される駐車場用窒素酸化物浄化装置に関するものである。
【背景技術】
【０００２】
大都市域においては、近年の自動車交通の増加から大気汚染の改善が大きな課題となっている。自動車から排出される排気ガスは、一般に一酸化窒素や二酸化窒素などの窒素酸化物を多量に含んでおり、これらの窒素酸化物は、呼吸器に好ましくない影響を与えるとされている。特に、駐車場のような自動車が高い密度で集中する場所の大気は、これらの窒素酸化物によって高濃度に汚染され、環境が悪化している。そこで近年は、このような大気に含まれる窒素酸化物を浄化することを目的として、種々の吸着装置の技術が開発されている。
【０００３】
例えば、特許文献１には、主として道路トンネルからの換気ガスなどに含まれる一酸化窒素、二酸化窒素などの窒素酸化物を活性アルミナ吸着剤で吸着除去する窒素酸化物の除去方法の技術が開示されている。
【特許文献１】特開平４−３６７７０７号公報
【発明の開示】
【発明が解決しようとする課題】
【０００４】
しかしながら、上述の窒素酸化物の除去方法では、空気輸送手段や吸着装置などを中心とする設備が必要になり、駐車場用の窒素酸化物浄化装置としては、高価に過ぎるという不具合があった。また、運転に際して活性アルミナ吸着剤や電力を必要とするので、窒素酸化物の除去に係るランニングコストが大きなものになる結果、この点からも駐車場用には採用できないという不具合があった。
【０００５】
本発明は上記不具合に鑑みてなされたものであり、空気に含まれる窒素酸化物を浄化するにあたって空気輸送手段や吸着装置など高価な設備を必要とせず、また活性アルミナ吸着剤や電力などが不要な、設備費とランニングコストを大幅に低減することができる駐車場用窒素酸化物浄化装置を提供することを課題としている。
【課題を解決するための手段】
【０００６】
上記課題を解決するための本発明は、大気に含まれる窒素酸化物を浄化可能な木材屑と、木材屑を空気と接触可能に担持した木材屑担持部材と、この木材屑担持部材を保持する保持部材とを備え、駐車場に配置された状態で、上記木材屑担持部材に担持された木材屑により駐車場の周囲の大気に含まれる窒素酸化物を浄化することを特徴とする駐車場用窒素酸化物浄化装置である。
【０００７】
本発明によれば、この駐車場用窒素酸化物浄化装置が駐車場に配置され、木材屑担持部材に担持された安価な木材屑により窒素酸化物を含有した駐車場周囲の大気を浄化するので、空気輸送手段や吸着装置など高価な設備を必要としない。また、活性アルミナ吸着剤や電力も不要である。その結果、窒素酸化物の浄化に係る設備費とランニングコストを大幅に低減することができる。
【０００８】
ここで、上記木材屑は、スギ材、竹材または同等の窒素酸化物浄化能力を有する木材の木粉であることが好ましい。
【０００９】
このようにすれば、窒素酸化物の除去効率が高いスギ材、竹材または同等の木材の木粉からなる木材屑により大気を浄化するので、自動車の排気ガスで悪化した環境を著しく改善することができる。
【００１０】
また、上記木材屑担持部材は、通気性材料からなることが好ましい。
【００１１】
このようにすれば、木材屑担持部材が通気性材料からなるので、大気浄化の速度がより速い駐車場用窒素酸化物浄化装置を実現することができる。
【００１２】
また、上記木材屑担持部材は、保持部材に対して交換可能に保持されていることが好ましい。
【００１３】
このようにすれば、長時間使用の後、木材屑による窒素酸化物の除去効率が低下しても、新しい木材屑を担持した木材屑担持部材に取り替えるだけで環境の改善を継続することができるようになる。
【００１４】
また、上記保持部材は、駐車場の自動車が発生させる排気ガスを受けるように、自動車駐車位置にある時の自動車の排気管の近傍となる位置に木材屑担持部材を配置するものであることが好ましい。
【００１５】
このようにすれば、自動車駐車位置にある時の自動車の排気管の近傍となる位置に木材屑担持部材が配置されているので、より多くの窒素酸化物を集中的に浄化することができる結果、駐車場全体においては窒素酸化物の濃度を大幅に低減することができる。
【００１６】
ここで、この駐車場用窒素酸化物浄化装置は、上記保持部材が、駐車場の地面に立設された車止め部材として構成されたものであってもよい。
【００１７】
この場合は、上記保持部材が、駐車場の地面に立設された車止め部材として構成されているので、保持部材と木材屑担持部材とを駐車位置にある自動車により近づけることができる結果、駐車場施設が設けられていない駐車場でも、容易に低コストで、自動車の排気ガスで悪化した環境を改善することができるようになる。
【００１８】
また、上記木材屑担持部材は、保持部材に設けられた収納孔に脱着可能に収納される概ね筒状の容器で構成されていることが好ましい。
【００１９】
このようにすれば、保持部材に収納孔が設けられ、この収納孔に概ね筒状の容器で構成される木材屑担持部材が脱着可能に収納されるので、保持部材が木材屑担持部材を確実に保持することができるだけでなく、駐車場用窒素酸化物浄化装置の外観が凹凸のないデザイン性に優れたものとなる。また、凹凸が少ないので歩行者の円滑な通行を妨げることがない。
【００２０】
あるいは、この駐車場用窒素酸化物浄化装置は、上記保持部材を支持するとともに、駐車場に設けられた駐車場施設にこの保持部材を取り付け可能な取り付け部材を備えていることが好ましい。
【００２１】
このようにすれば、この駐車場用窒素酸化物浄化装置の取り付け部材が、保持部材を支持するとともに、駐車場に設けられた駐車場施設にこの保持部材を取り付け可能になっているので、駐車場施設のあるところでは、どこでも容易に低コストで、自動車の排気ガスで悪化した環境を著しく改善することができる。
【００２２】
また、上記駐車場施設は、屋内駐車場の壁、屋外駐車場の柵、のいずれかであることが好ましい。
【００２３】
このようにすれば、屋内駐車場の壁、屋外駐車場の柵、のあるところでは、どこでも容易に低コストで、駐車場用窒素酸化物浄化装置を取り付けることができるので、自動車の排気ガスで悪化した駐車場の環境を著しく改善することができるようになる。
【００２４】
そして、これらの駐車場用窒素酸化物浄化装置には、上記木材屑担持部材に対して水を供給する水供給手段が設けられ、上記木材屑担持部材に担持された木材屑が、この水供給手段から供給される水で濡れた状態で、周囲の大気を浄化可能に構成されていることことが好ましい。
【００２５】
このようにすれば、木材屑担持部材に担持された木材屑が、水供給手段から供給される水で濡れた状態で、窒素酸化物と反応するので、空気中の湿分を介在させただけの反応よりも、窒素酸化物の反応が進む結果、より速やかに大気を浄化することができるようになる。
【００２６】
また、上記水供給手段は、木材屑担持部材に対して雨水を供給するものであることが好ましい。
【００２７】
このようにすれば、水供給手段として木材屑担持部材に対して雨水を供給するので、水道水などの配管をわざわざ駐車場用窒素酸化物浄化装置まで施工する必要がなく、ランニングコストを低減することができるようになる。
【発明の効果】
【００２８】
以上説明したように、本発明によれば、駐車場周辺の空気に含まれる窒素酸化物を浄化するにあたって、空気輸送手段や吸着装置など高価な設備やプラント、あるいは活性アルミナ吸着剤や電力などを必要としないので、設備費とランニングコストを大幅に低減することができるという顕著な効果を奏する。
【発明を実施するための最良の形態】
【００２９】
以下、添付図面を参照しながら本発明の好ましい実施の一形態について詳述する。図１は、本発明の第１の実施の形態に係る駐車場用窒素酸化物浄化装置１０の概略の構成を示す正面図であり、図２は、駐車場用窒素酸化物浄化装置１０の概略の構成を示す平面図である。また、図３は、駐車場用窒素酸化物浄化装置１０の木材屑担持部材２の概略の構成を示す斜視図である。
【００３０】
図１と図２とを参照して、図示の本発明の第１の実施の形態に係る駐車場用窒素酸化物浄化装置１０は、木材屑１（図３）と、この木材屑１を空気と接触可能に担持した木材屑担持部材２と、この木材屑担持部材２を保持する保持部材３とを備え、保持部材３は、本実施形態では、屋内あるいは屋外の駐車場７の地面Ｇに立設された車止め部材４として構成されている。
【００３１】
上記木材屑１は、大気に含まれる窒素酸化物を浄化可能な粒径０．２ｍｍ〜２０ｍｍのスギ材、竹材の木粉が採用されている。
【００３２】
一般に、これらの木粉に含まれるリグニンは、二酸化窒素をよく吸収することにより、大気を浄化することができるということが知られている。
【００３３】
また、二酸化窒素は、次の反応式で表されるように、空気中の水分や木材屑担持部材２２に降りかかる雨水と反応して硝酸や亜硝酸に変化するが、木材屑１に含まれるセルロースは、この反応に対して触媒的な働きをし、二酸化窒素の硝酸や亜硝酸への変換を促進する（木材屑は、セルロースのポーラスな固相表面を有しているために、大気中での反応と比較して数万倍、二酸化窒素と水との反応を促進する）。
【００３４】
２ＮＯ２＋Ｈ２Ｏ＝ＨＮＯ３＋ＨＮＯ２
また、これらの生成物は容易に水に溶けるので、雨水とともに側溝などに流れ込む結果、駐車場用窒素酸化物浄化装置１０は、二酸化窒素を大気から除去する効果が高い。
【００３５】
なお、駐車場７の周囲の大気に含まれる窒素酸化物には、上述の二酸化窒素の他、一酸化窒素が含まれているが、一般に、一酸化窒素は、空気中で酸化されて二酸化窒素となるので、この二酸化窒素を大気から除去することにより、一酸化窒素の二酸化窒素への反応も進み、一酸化窒素の濃度の低減にも寄与することになる。
【００３６】
このように、第１の実施の形態に係る駐車場用窒素酸化物浄化装置１０においては、木材屑１は、二酸化窒素をよく吸収するだけでなく、雨水に濡れた状態で、二酸化窒素を硝酸や亜硝酸へ変換するとともに側溝などに流し去ることにより、駐車場７周辺の大気に含まれる窒素酸化物を浄化することが可能になっている。
【００３７】
特に、本実施形態で採用しているスギ材、竹材の木材屑１はこの触媒的な働きをする能力が高い（特開２００５−１５２７６５号公報に、粒径０．５９〜１ｍｍのスギおが屑による二酸化窒素の処理能力についての実験結果が記載されている）。
【００３８】
上記木材屑担持部材２は、図３に示すように、空気との接触効率が高い通気性材料からなる厚手の多孔性不織布素材を円筒形状に形成した容器である。この木材屑担持部材２は、透湿性、吸水性を有することと、保持部材３の外部に前後の部分２ａ、２ｂが露出することにより、水供給手段として木材屑担持部材２に対して雨水を供給することができるようになっている。そのため、第１の実施の形態に係る駐車場用窒素酸化物浄化装置１０が屋外に設置された場合は、この木材屑担持部材２の木材屑１も降雨時に雨水で濡れた状態となり、前述のように大気から二酸化窒素を除去することができるようになっている。
【００３９】
上記保持部材３は、駐車する車の車輪歯止めの無い場合には、一定の厚みを有する概ね円弧状の部材であり、合成ゴムなどの弾性を有する合成樹脂素材で形成され、駐車場７の地面Ｇに図略のアンカーで固定されている。この保持部材３は、本実施形態では、自動車６が駐車する際の最後尾の位置を規制する車止め部材４としての十分な強度を有している。
【００４０】
なお、車輪歯止めの有る駐車場においては、保持部材３は、車の駐車位置を規制する強度を有する必要は無く、木材、金属等の素材で構成する。
【００４１】
また、この保持部材３に設けられた２つの収納孔３ａには、円筒形状の木材屑担持部材２が、それぞれ外部に前後の部分２ａ、２ｂを露出させた状態で脱着可能に収納されている。
【００４２】
そして、この第１の実施の形態に係る駐車場用窒素酸化物浄化装置１０においては、保持部材３は、駐車場７の自動車６が発生させる排気ガスを受けるように、自動車駐車位置にある時の自動車６の排気管６ａの近傍となる位置に木材屑担持部材２を配置している。
【００４３】
このようにして、自動車６が駐車する駐車場７の周囲の大気に含まれる窒素酸化物が、木材屑担持部材２に担持された木材屑１により浄化される。
【００４４】
次に、図４〜図８を参照して、本発明の第２の実施の形態に係る駐車場用窒素酸化物浄化装置２０について説明する。図４は、本発明の第２の実施の形態に係る駐車場用窒素酸化物浄化装置２０の構成の概略を示す正面図であり、図５は、駐車場用窒素酸化物浄化装置２０の構成の概略を示す側面図である。また、図６は、駐車場用窒素酸化物浄化装置２０の構成の詳細を示す平面図である。さらに、図７は、木材屑担持部材２２の構成を示す正面図であり、図８は、木材屑担持部材２２の構成を示す断面図である。なお、第１の実施形態に係る駐車場用窒素酸化物浄化装置１０と同様の構成については同じ符号を付し、説明の重複を避けるものとする。
【００４５】
図４と図５とを参照して、図示の本発明の第２の実施の形態に係る駐車場用窒素酸化物浄化装置２０は、木材屑１（図７、図８）と、この木材屑１を空気と接触可能に担持した木材屑担持部材２２と、この木材屑担持部材２２を保持する保持部材２３とを備えている。また、この駐車場用窒素酸化物浄化装置２０は、取り付け部材２４を備えており、この取り付け部材２４により、駐車場施設Ｆに保持部材２３を取り付けている。
【００４６】
また、この駐車場用窒素酸化物浄化装置２０は、駐車場７の自動車６が発生させる排気ガスを受けるように、自動車駐車位置にある時の自動車６の排気管６ａの近傍となる位置に木材屑担持部材２２を配置し、木材屑１により駐車場７の周囲の大気に含まれる窒素酸化物を浄化するように構成されている。
【００４７】
駐車場施設Ｆは、本実施形態では屋外の駐車場７の周囲に設けられた柵を想定しているが、屋内駐車場の壁であってもよい。
【００４８】
上記木材屑１（図７、図８）は、ここでも、第１の実施形態と同様の粒径０．２ｍｍ〜２０ｍｍのスギ材、竹材の木粉が採用されている。
【００４９】
上記木材屑担持部材２２は、木材屑１と空気との接触効率が高い通気性材料からなり、具体的には、図７と図８とに示すように、重ね縫いされた表裏一対の不織布などの通気性膜材の間に木材屑１を担持するように構成されている。この木材屑担持部材２２は、このように、内部に木材屑１が充填担持されているため、駐車場用窒素酸化物浄化装置２０においても、木材屑１に含まれるリグニンが、二酸化窒素をよく吸収する。
【００５０】
また、この木材屑担持部材２２は、透湿性、吸水性を有することと、外部に露出することにより、水供給手段として木材屑担持部材２２に対して雨水を供給することができるようになっている。そのため、降雨時には、雨水で濡れた状態となり、前述のように大気から二酸化窒素を除去することができるようになっている。
【００５１】
上記保持部材２３は、この木材屑担持部材２２を保持するものであり、縦部材と横部材とを組み合わせた合成樹脂製や軽量金属製、及び木製などの枠体で構成されている。そして、この保持部材２３の自動車６に面した側に、木材屑担持部材２２が、図略のビスなどで着脱自在に取り付けられ、保持部材２３に対して交換可能に保持されている。
【００５２】
この保持部材２３は、また、図６に示すように、中央から一方に偏った位置で屈曲した構造になっており、狭い設置面積に対してできるだけ、木材屑担持部材２２と大気との接触面積が大きくなる構造になっている。
【００５３】
上記取り付け部材２４は、保持部材２３を支持するとともに、駐車場施設Ｆに保持部材２３を取り付けるためのものである。第２の実施の形態に係る駐車場用窒素酸化物浄化装置２０では、１つの保持部材２３に対して左右上下に設けられる合計４個のボルトが、この取り付け部材２４に相当している。
【００５４】
以上説明したように、第１の実施形態に係る駐車場用窒素酸化物浄化装置１０と、第２の実施形態に係る駐車場用窒素酸化物浄化装置２０とによれば、これら駐車場用窒素酸化物浄化装置１０、２０が駐車場７に配置され、木材屑担持部材２２に担持された安価な木材屑１により窒素酸化物を含有した駐車場７周囲の大気を浄化するので、空気輸送手段や吸着装置など高価な設備を必要としない。また、活性アルミナ吸着剤や電力も不要である。その結果、窒素酸化物の浄化に係る設備費とランニングコストを大幅に低減することができる。
【００５５】
また、これらの構成によれば、窒素酸化物の除去効率が高いスギ材、竹材または同等の木材の木粉からなる木材屑１により大気を浄化するので、自動車６の排気ガスで悪化した環境を著しく改善することができる。
【００５６】
また、木材屑担持部材２、２２が通気性材料からなるので、大気浄化の速度がより速い駐車場用窒素酸化物浄化装置を実現することができる。
【００５７】
さらに、これらの構成によれば、長時間使用の後、木材屑１による窒素酸化物の除去効率が低下しても、新しい木材屑１を担持した木材屑担持部材２、２２に取り替えるだけで環境の改善を継続することができるようになる。
【００５８】
また、自動車駐車位置にある時の自動車６の排気管６ａの近傍となる位置に木材屑担持部材２、２２が配置されているので、より多くの窒素酸化物を集中的に浄化することができる結果、駐車場７全体においては窒素酸化物の濃度を大幅に低減することができる。
【００５９】
そして、駐車場７が屋外の場合は、木材屑担持部材２、２２に担持された木材屑１が、雨水で濡れた状態で、窒素酸化物と反応することができるので、空気中の湿分を介在させただけの反応よりも、窒素酸化物の反応が進む結果、より速やかに大気を浄化することができるようになる。
【００６０】
そして、特に駐車場用窒素酸化物浄化装置１０によれば、上記保持部材３が、駐車場７の地面Ｇに立設された車止め部材４として構成されているので、保持部材３と木材屑担持部材２とを駐車位置にある自動車６により近づけることができる結果、駐車場施設Ｆが設けられていない駐車場７でも、容易に低コストで、自動車６の排気ガスで悪化した環境を改善することができるようになる。
【００６１】
また、駐車場用窒素酸化物浄化装置１０によれば、保持部材３に収納孔３ａが設けられ、この収納孔３ａに概ね筒状の容器で構成される木材屑担持部材２が脱着可能に収納されるので、保持部材３が木材屑担持部材２を確実に保持することができるだけでなく、駐車場用窒素酸化物浄化装置１０の外観が凹凸のないデザイン性に優れたものとなる。また、凹凸が少ないので歩行者の円滑な通行を妨げることがない。
【００６２】
一方、駐車場用窒素酸化物浄化装置２０によれば、この駐車場用窒素酸化物浄化装置の取り付け部材が、保持部材を支持するとともに、駐車場７に設けられた駐車場施設Ｆにこの保持部材を取り付け可能になっているので、駐車場施設Ｆのあるところでは、どこでも容易に低コストで、自動車６の排気ガスで悪化した環境を著しく改善することができる。
【００６３】
また、駐車場用窒素酸化物浄化装置２０によれば、屋内駐車場の壁や屋外駐車場の柵、のあるところでは、どこでも容易に低コストで、駐車場用窒素酸化物浄化装置を取り付けることができるので、自動車６の排気ガスで悪化した駐車場７の環境を著しく改善することができるようになる。
【００６４】
上述した実施の形態は本発明の好ましい具体例を例示したものに過ぎず、本発明は上述した実施の形態に限定されない。
【００６５】
例えば、木材屑１は、粒径０．２ｍｍ〜２０ｍｍのスギ材、竹材の木粉に限定されない。同等の窒素酸化物浄化能力を有する木材の木粉が採用可能である。
【００６６】
また、木材屑担持部材２も、厚手の多孔性不織布素材に限定されず、図示しないが、木材屑１と空気との接触効率が大きい通気性材料で、筒状の容器を形成可能なものであれば、種々の材料が採用可能である。
【００６７】
さらに、保持部材３、２３が、木材屑担持部材２、２２を保持する構造は、必ずしも図示の構成に限定されない。空気と接触可能に担持した木材屑担持部材２、２２を保持するものであれば、それぞれ種々の構成が採用可能である。
【００６８】
また、第２の実施形態に係る駐車場用窒素酸化物浄化装置２０の駐車場施設Ｆは、屋外駐車場の柵や屋内駐車場の壁以外にも遮音壁などにも用いることができるなど、種々の駐車場施設Ｆに適用可能である。
【００６９】
さらに、木材屑担持部材２２は、重ね縫いされた表裏一対の不織布に限定されず、木材屑１と空気との接触効率が大きい通気性材料であれば、種々の材料が採用可能である。
【００７０】
例えば、図９は、木材屑担持部材２２の第１の変形例を示す説明図である。第１の変形例に係る木材屑担持部材３２は、図９に示すように、ハニカム構造に形成された通気性材料に木材屑１を担持するものであり、この場合は、木材屑１と空気との接触面積が大きい結果、大気浄化の速度がより速い駐車場用窒素酸化物浄化装置２０を実現することができる。
【００７１】
また、図１０と図１１とは、木材屑担持部材２２の第二の変形例を示す説明図であり、図１０は、第二の変形例に係る木材屑担持部材４２の分解斜視図を、図１１は、木材屑担持部材４２の断面図をそれぞれ示している。
【００７２】
これらの図に示すように、第二の変形例に係る木材屑担持部材４２は、多くの孔４２ｂを有する不織布４２ａと、金属メッシュ４２ｃ、４２ｄとを有する多層構造に形成されている。この場合も、木材屑１と空気との接触面積が大きい結果、大気浄化の速度がより速い駐車場用窒素酸化物浄化装置２０を実現することができる。
【００７３】
また、第２の実施形態に係る駐車場用窒素酸化物浄化装置２０の取り付け部材２４も、保持部材２３に対して設けられるボルトに限らない。保持部材２３を支持するとともに、駐車場施設Ｆに保持部材２３を取り付けるものであれば、クランプなどの係止具、その他一般的な固定具など、種々の取り付け部材が採用可能である。
【００７４】
また、水供給手段は、木材屑担持部材２２に対して雨水を供給するものに限らない。水であれば、水道水、井戸水、工業用水、農業用水、その他の水を配管や流量調整手段により供給するようにした構成も採用可能である。
【００７５】
その他、本発明の特許請求の範囲内で種々の設計変更が可能であることはいうまでもない。
【図面の簡単な説明】
【００７６】
【図１】本発明の第１の実施形態に係る駐車場用窒素酸化物浄化装置の構成の概略を示す正面図である。
【図２】第１の実施形態に係る駐車場用窒素酸化物浄化装置の構成の概略を示す平面図である。
【図３】第１の実施形態に係る駐車場用窒素酸化物浄化装置の木材屑担持部材の概略の構成を示す斜視図である。
【図４】本発明の第２の実施形態に係る駐車場用窒素酸化物浄化装置の構成の詳細を示す正面図である。
【図５】第２の実施形態に係る駐車場用窒素酸化物浄化装置の構成の概略を示す側面図である。
【図６】第２の実施形態に係る駐車場用窒素酸化物浄化装置の構成の詳細を示す平面図である。
【図７】第２の実施形態に係る駐車場用窒素酸化物浄化装置の木材屑担持部材の構成を示す正面図である。
【図８】第２の実施形態に係る駐車場用窒素酸化物浄化装置の木材屑担持部材の構成を示す断面図である。
【図９】第１の変形例に係る木材屑担持部材の構成を示す斜視図である。
【図１０】第２の変形例に係る木材屑担持部材の分解斜視図である。
【図１１】第２の変形例に係る木材屑担持部材の断面図である。
【符号の説明】
【００７７】
Ａ      空気
Ｇ      地面
Ｆ      駐車場施設
１      木材屑
２、２２、３２、４２  木材屑担持部材
３、２３  保持部材
３ａ  収納孔
４    車止め部材
６      自動車
６ａ    排気管
７      駐車場
１０、２０    駐車場用窒素酸化物浄化装置
２４      取り付け部材
【図１】
2007050389.tif 000003
【図２】
2007050389.tif 000004
【図３】
2007050389.tif 000005
【図４】
2007050389.tif 000006
【図５】
2007050389.tif 000007
【図６】
2007050389.tif 000008
【図７】
2007050389.tif 000009
【図８】
2007050389.tif 000010
【図９】
2007050389.tif 000011
【図１０】
2007050389.tif 000012
【図１１】
2007050389.tif 000013